Podtech/llm-jp-corpus-v4-ja_patent huggingface dataset:
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
一般式II：W-X-G［式中、Gは、要すれば適したアミノ酸と24位で結合する胆汁酸または胆汁酸塩ラジカルであり；Wは14から22の炭素原子を有する１つまたは２つの脂肪酸ラジカルを意味し；そして、Xは該胆汁酸または胆汁酸塩ラジカルと該脂肪酸との間の適した結合メンバーまたは直接的C=C結合を意味する］で示される胆汁酸または胆汁酸塩脂肪酸結合体を含有する、血中コレステロールを減少させるための医薬組成物。
【請求項２】
一般式II：W-X-G［式中、Gは、要すれば適したアミノ酸と24位で結合する胆汁酸または胆汁酸塩ラジカルであり；Wは14から22の炭素原子を有する１つまたは２つの脂肪酸ラジカルを意味し；そして、Xは該胆汁酸または胆汁酸塩ラジカルと該脂肪酸との間の適した結合メンバーまたは直接的C=C結合を意味する］で示される胆汁酸または胆汁酸塩脂肪酸結合体を含有する、脂肪肝を処置するための医薬組成物。
【請求項３】
一般式II：W-X-G［式中、Gは、要すれば適したアミノ酸と24位で結合する胆汁酸または胆汁酸塩ラジカルであり；Wは14から22の炭素原子を有する１つまたは２つの脂肪酸ラジカルを意味し；そして、Xは該胆汁酸または胆汁酸塩ラジカルと該脂肪酸との間の適した結合メンバーまたは直接的C=C結合を意味する］で示される胆汁酸または胆汁酸塩脂肪酸結合体を含有する、高血糖および糖尿病を処置するための医薬組成物。
【請求項４】
一般式IIの化合物において結合メンバーがNHである、請求項１から３のいずれか１つに記載の医薬組成物。
【請求項５】
一般式IIの化合物において脂肪酸がベヘニル酸、アラキジル酸、およびステアリン酸の中から選ばれる、請求項１から４のいずれか１つに記載の医薬組成物。
【請求項６】
一般式IIの化合物が3β-アラキジルアミド-7α,12α-ジヒドロキシ-5β-コラン-24-酸である、請求項１から５のいずれか１つに記載の医薬組成物。
【手続補正書】
【提出日】平成17年4月1日(2005.4.1)
【手続補正１】
【補正対象書類名】特許請求の範囲
【補正対象項目名】全文
【補正方法】変更
【補正の内容】
【特許請求の範囲】
【請求項１】
式Ｉ
【化１】
2004525966.tif 000001
［式中、
Ｒ1は、水素、−ＣＨ2ＯＣ(Ｏ)Ｃ(ＣＨ3)3またはアシル基であり、
Ｒ2は、水素、−ＣＨ2Ｏ−Ｃ(Ｏ)Ｃ(ＣＨ3)3、Ｃ1〜Ｃ4−アルキル、アリール、アリール−（Ｃ1〜Ｃ4−アルキル）またはジフェニルメチルであり、
Ｘは、−(ＣＨ2)n（式中、ｎは０または１の整数である）、−Ｓ−、−Ｏ−、
【化２】
2004525966.tif 000002
（式中、Ｒ3は、水素、Ｃ1〜Ｃ4−アルキル、アリールまたはアリール−（Ｃ1〜Ｃ4−ア
ルキル）であり、そしてＲ4は、−ＣＦ3、Ｃ1〜Ｃ10−アルキル、アリールまたはアリー
ル−（Ｃ1〜Ｃ4−アルキル）である）であり、
Ｂ1およびＢ2は、それぞれ独立して水素、水酸基または−ＯＲ5（式中、Ｒ5は、Ｃ1〜
Ｃ4−アルキル、アリールもしくはアリール−（Ｃ1〜Ｃ4−アルキル）である）であるか
、またはＢ1およびＢ2が隣接する炭素原子に結合する場合に、Ｂ1およびＢ2は隣接する炭素原子一緒になってベンゼン環またはメチレンジオキシを形成することができる］
の化合物またはその薬学的に許容しうる塩またはその立体異性体。
【請求項２】
Ｂ1およびＢ2が水素である請求項１記載の化合物。
【請求項３】
Ｘが−(ＣＨ2)nであり、ｎが１である請求項２記載の化合物。
【請求項４】
Ｒ1がアセチルまたは水素である請求項３記載の化合物。
【請求項５】
化合物が
［４Ｓ−［４α,７α(Ｓ),１２ｂβ］］−７−［［２(Ｒ)−アセチルチオ−３−メチル−１−オキソブチル］アミノ］−１,２,３,４,６,７,８,１２ｂ−オクタヒドロ−６−オキソ−ピリド［２,１ａ］［２］ベンズアゼピン−４−カルボン酸ジフェニルメチルエステル；
［４Ｓ−［４α,７α(Ｓ),１２ｂβ］］−７−［［２(Ｓ)−アセチルチオ−３−メチル−１−オキソブチル］アミノ］−１,２,３,４,６,７,８,１２ｂ−オクタヒドロ−６−オキソ−ピリド［２,１ａ］［２］ベンズアゼピン−４−カルボン酸ジフェニルメチルエステル；
［４Ｓ−［４α,７α(Ｓ),１２ｂβ］］−７−［［３−メチル−１−オキソ−２(Ｒ)−チオブチル］アミノ］−１,２,３,４,６,７,８,１２ｂ−オクタヒドロ−６−オキソ−ピリド［２,１ａ］［２］ベンズアゼピン−４−カルボン酸ジフェニルメチルエステル；又は
［４Ｓ−［４α,７α(Ｓ),１２ｂβ］］−７−［［３−メチル−１−オキソ−２(Ｓ)−チオブチル］アミノ］−１,２,３,４,６,７,８,１２ｂ−オクタヒドロ−６−オキソ−ピリド［２,１ａ］［２］ベンズアゼピン−４−カルボン酸ジフェニルメチルエステル
である請求項４記載の化合物。
【請求項６】
Ｒ2が水素である請求項４記載の化合物。
【請求項７】
化合物が
［４Ｓ−［４α,７α(Ｓ),１２ｂβ］］−７−［［２(Ｒ)−アセチルチオ−３−メチル−１−オキソブチル］アミノ］−１,２,３,４,６,７,８,１２ｂ−オクタヒドロ−６−オキソ−ピリド［２,１ａ］［２］ベンズアゼピン−４−カルボン酸；
［４Ｓ−［４α,７α(Ｓ),１２ｂβ］］−７−［［２(Ｓ)−アセチルチオ−３−メチル−１−オキソブチル］アミノ］−１,２,３,４,６,７,８,１２ｂ−オクタヒドロ−６−オキソ−ピリド［２,１ａ］［２］ベンズアゼピン−４−カルボン酸；
［４Ｓ−［４α,７α(Ｓ),１２ｂβ］］−７−［［３−メチル−１−オキソ−２(Ｒ)−チオブチル］アミノ］−１,２,３,４,６,７,８,１２ｂ−オクタヒドロ−６−オキソ−ピリド［２,１ａ］［２］ベンズアゼピン−４−カルボン酸；又は
［４Ｓ−［４α,７α(Ｓ),１２ｂβ］］−７−［［３−メチル−１−オキソ−２(Ｓ)−チオブチル］アミノ］−１,２,３,４,６,７,８,１２ｂ−オクタヒドロ−６−オキソ−ピリド［２,１ａ］［２］ベンズアゼピン−４−カルボン酸
である請求項６記載の化合物。
【請求項８】
式Ｉ
【化３】
2004525966.tif 000003
［式中、
Ｒ1は、水素、−ＣＨ2ＯＣ(Ｏ)Ｃ(ＣＨ3)3またはアシル基であり、
Ｒ2は、水素、−ＣＨ2Ｏ−Ｃ(Ｏ)Ｃ(ＣＨ3)3、Ｃ1〜Ｃ4−アルキル、アリール、アリール−（Ｃ1〜Ｃ4−アルキル）またはジフェニルメチルであり、
Ｘは、−(ＣＨ2)n（式中、ｎは０または１の整数である）、−Ｓ−、−Ｏ−、
【化４】
2004525966.tif 000004
（式中、Ｒ3は、水素、Ｃ1〜Ｃ4−アルキル、アリールまたはアリール−（Ｃ1〜Ｃ4−ア
ルキル）であり、そしてＲ4は、−ＣＦ3、Ｃ1〜Ｃ10−アルキル、アリールまたはアリー
ル−（Ｃ1〜Ｃ4−アルキル）である）であり、
Ｂ1およびＢ2は、それぞれ独立して水素、水酸基または−ＯＲ5（式中、Ｒ5は、Ｃ1〜
Ｃ4−アルキル、アリールもしくはアリール−（Ｃ1〜Ｃ4−アルキル）である）であるか
、またはＢ1およびＢ2が隣接する炭素原子に結合する場合に、Ｂ1およびＢ2は隣接する炭素原子と一緒になってベンゼン環またはメチレンジオキシを形成することができる］
の化合物を製造する方法であって、式II
【化５】
2004525966.tif 000005
（式中、Ｈａｌはハロゲンである）の化合物を、式Ｒ1ＳＨ（式中、Ｒ1は前述の定義のとおりである）の化合物と塩基の存在下で反応させる段階を含む、上記の方法。
【請求項９】
式II
【化６】
2004525966.tif 000006
［式中、
Ｒ1は、水素、−ＣＨ2ＯＣ(Ｏ)Ｃ(ＣＨ3)3またはアシル基であり、
Ｒ2は、水素、−ＣＨ2Ｏ−Ｃ(Ｏ)Ｃ(ＣＨ3)3、Ｃ1〜Ｃ4−アルキル、アリール、アリール−（Ｃ1〜Ｃ4−アルキル）またはジフェニルメチルであり、
Ｘは、−(ＣＨ2)n（式中、ｎは０または１の整数である）、−Ｓ−、−Ｏ−、
【化７】
2004525966.tif 000007
（式中、Ｒ3は、水素、Ｃ1〜Ｃ4−アルキル、アリールまたはアリール−（Ｃ1〜Ｃ4−ア
ルキル）であり、そしてＲ4は、−ＣＦ3、Ｃ1〜Ｃ10−アルキル、アリールまたはアリー
ル−（Ｃ1〜Ｃ4−アルキル）である）であり、
Ｂ1およびＢ2は、それぞれ独立して水素、水酸基または−ＯＲ5（式中、Ｒ5は、Ｃ1〜
Ｃ4−アルキル、アリールもしくはアリール−（Ｃ1〜Ｃ4−アルキル）である）であるか
、またはＢ1およびＢ2が隣接する炭素原子に結合する場合に、Ｂ1およびＢ2は隣接する炭素原子一緒になってベンゼン環またはメチレンジオキシを形成することができる］
の化合物を製造する方法であって、式III
【化８】
2004525966.tif 000008
（式中、Ｒ2、Ｘ、Ｂ1およびＢ2は、前述の定義のとおりである）の化合物を、式IV
【化９】
2004525966.tif 000009
（式中、Ｈａｌはハロゲンである）の化合物と反応させる段階を含む、上記の方法。
【請求項１０】
請求項１記載の式Ｉの化合物を有効成分として含有する心血管疾患の症状の治療のための医薬。
【請求項１１】
疾患の症状が高血圧である請求項１０記載の医薬。
【請求項１２】
疾患の症状が鬱血性心不全である請求項１０記載の医薬。
【手続補正書】
【提出日】平成17年2月14日(2005.2.14)
【手続補正１】
【補正対象書類名】特許請求の範囲
【補正対象項目名】請求項１
【補正方法】変更
【補正の内容】
【請求項１】
反応帯域Ａ中に存在する一般化学量論Ｉ
ＭｏｌＶｂＭｃ１Ｍｄ２Ｏｎ      （Ｉ）
［式中、
Ｍ１＝Ｔｅおよび／またはＳｂ、
Ｍ２＝Ｎｂ、Ｔａ、Ｗ、Ｔｉ、Ａｌ、Ｚｒ、Ｃｒ、Ｍｎ、Ｇａ、Ｆｅ、Ｒｕ、Ｃｏ、Ｒｈ、Ｎｉ、Ｐｄ、Ｐｔ、Ｌａ、Ｂｉ、Ｂ、Ｃｅ、Ｓｎ、Ｚｎ、ＳｉおよびＩｎを含む群からの少なくとも１種の元素、
ｂ＝０．０１〜１、
ｃ＝＞０〜１、
ｄ＝＞０〜１および
ｎ＝（Ｉ）中の酸素とは異なる元素の原子価および頻度により決定される数］の複合金属酸化物活性材料少なくとも１種を使用して分子酸素を用いて不均一系触媒による気相酸化によりプロペンからアクリル酸を製造する方法において、
少なくとも１種の複合金属酸化物材料（Ｉ）のＸ線回折図は、そのピークが回折角（２θ）２２．２±０．４゜（ｈ）、２７．３±０．４゜（ｉ）および２８．２±０．４゜（ｋ）である反射ｈ、ｉおよびｋを有し、
−  反射ｈはＸ線回折図中で最も強度大であり、かつ最大で０．５゜の半値幅を有し、
−  反射ｉの強度Ｐｉおよび反射ｋの強度Ｐｋは０．６５≦Ｒ≦０．８５の関係を満足し、その際、Ｒは式
Ｒ＝Ｐｉ／（Ｐｉ＋Ｐｋ）
により定義される強度比であり、かつ
−  反射ｉおよび反射ｋの半値幅はそれぞれ≦１゜である
ことを特徴とする、複合金属酸化物材料少なくとも１種を使用して分子酸素を用いて不均一系触媒による気相酸化によりプロペンからアクリル酸を製造する方法。
【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
ｍＴＯＲインヒビターおよび代謝拮抗性抗腫瘍剤の少なくとも一つの医薬の製造における使用であって、その少なくとも一つの医薬が哺乳動物における腫瘍を治療するためのｍＴＯＲインヒビターおよび代謝拮抗性抗腫瘍剤のデリバリーにより特徴付けられる組み合わせにて投与可能であるところの、使用。
【請求項２】
ｍＴＯＲインヒビター、代謝拮抗物質のいずれかまたは両方を治療量以下の有効量でデリバリーする、請求項１記載の使用。
【請求項３】
ｍＴＯＲインヒビターを治療量以下の有効量でデリバリーする、請求項１または２記載の使用。
【請求項４】
代謝拮抗物質を治療量以下の有効量でデリバリーする、請求項１ないし３のいずれか１項記載の方法。
【請求項５】
腫瘍が、腎臓癌、柔組織癌、乳癌、肺の神経内分泌腫瘍、子宮頚癌、膀胱癌、頭部ならびに頚部癌、神経膠腫、非小肺細胞癌、前立腺癌、膵臓癌、リンパ腫、黒色腫、小細胞肺癌、卵巣癌、結腸癌、食道癌、胃癌、白血病、結腸直腸癌、および未知の一次癌の一つである、請求項１〜４のいずれか１項記載の使用。
【請求項６】
組み合わせが生化学的変更剤をさらに含む、請求項１〜５のいずれか１項記載の使用。
【請求項７】
生化学的変更剤がロイコボリンまたはレボホリネートである、請求項６記載の使用。
【請求項８】
代謝拮抗物質がゲムシタビンである、請求項１〜７のいずれか１項記載の使用。
【請求項９】
腫瘍が膵臓癌である、請求項１〜８のいずれか１項記載の使用。
【請求項１０】
代謝拮抗物質が５−フルオロウラシルである、請求項１〜７のいずれか１項記載の使用。
【請求項１１】
組み合わせが生化学的変更剤をさらに含む、請求項１〜１０のいずれか１項記載の使用。
【請求項１２】
該組み合わせがｍＴＯＲインヒビター、５−フルオロウラシル、およびロイコボリンの組み合わせを含む、請求項１〜５のいずれか１項記載の使用。
【請求項１３】
腫瘍が結腸直腸癌である、請求項１０〜１２のいずれか１項記載の使用。
【請求項１４】
ｍＴＯＲインヒビターがラパマイシンである、請求項１〜１３のいずれか１項記載の使用。
【請求項１５】
ラパマイシンがラパマイシンである、請求項１４記載の使用。
【請求項１６】
ラパマイシンが４２−Ｏ−（２−ヒドロキシ）エチルラパマイシンである、請求項１４記載の使用。
【請求項１７】
ラパマイシンが３−ヒドロキシ−２−（ヒドロキシメチル）−２−メチルプロピオン酸とのラパマイシン４２−エステルである、請求項１４記載の使用。
【請求項１８】
ｍＴＯＲインヒビターと代謝拮抗性抗腫瘍剤の有効量を含む、抗腫瘍組み合わせ。
【請求項１９】
生化学的変更剤をさらに含む、請求項１８記載の組み合わせ。
【請求項２０】
ｍＴＯＲインヒビターがラパマイシンである、請求項１９記載の組み合わせ。
【請求項２１】
ラパマイシンがラパマイシンである、請求項１９記載の組み合わせ。
【請求項２２】
ラパマイシンが４２−Ｏ−（２−ヒドロキシ）エチルラパマイシンである、請求項１９記載の組み合わせ。
【請求項２３】
ラパマイシンが３−ヒドロキシ−２−（ヒドロキシメチル）−２−メチルプロピオン酸とのラパマイシン４２−エステルである、請求項１９記載の組み合わせ。
【請求項２４】
哺乳動物における腫瘍の治療における、同時、別個、または連続使用のための組み合わせ製剤としての、ｍＴＯＲインヒビターおよび代謝拮抗性抗腫瘍剤を含む製品。
【請求項２５】
生化学的変更剤をさらに含む、請求項２４記載の製品。
【請求項２６】
腫瘍が、腎臓癌、柔組織癌、乳癌、肺の神経内分泌腫瘍、子宮頚癌、膀胱癌、頭部ならびに頚部癌、神経膠腫、非小肺細胞癌、前立腺癌、膵臓癌、リンパ腫、黒色腫、小細胞肺癌、卵巣癌、結腸癌、食道癌、胃癌、白血病、結腸直腸癌、および未知の一次癌の一つである、請求項２４または請求項２５記載の製品。
【請求項２７】
ｍＴＯＲインヒビターがラパマイシンである、請求項２４〜２６のいずれか１項記載の製品。
【請求項２８】
ラパマイシンがラパマイシンである、請求項２７記載の製品。
【請求項２９】
ラパマイシンが４２−Ｏ−（２−ヒドロキシ）エチルラパマイシンである、請求項２７記載の製品。
【請求項３０】
ラパマイシンが３−ヒドロキシ−２−（ヒドロキシメチル）−２−メチルプロピオン酸とのラパマイシン４２−エステルである、請求項２７記載の製品。
【請求項３１】
代謝拮抗物質がゲムシタビンまたは５−フルオロウラシルである、請求項２４〜３０のいずれか１項記載の製品。
【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
フェロモンおよび２，２’−メチレンビス（６−ｔ−ブチル−ｐ−クレゾール）を含有する組成物を提供することを含む、昆虫フェロモンの安定化方法。
【請求項２】
昆虫フェロモンおよびこの昆虫フェロモンの安定化に有効な量の２，２’−メチレンビス（６−ｔ−ブチル−ｐ−クレゾール）を含有する昆虫交尾攪乱組成物。
【請求項３】
請求項２に記載の昆虫フェロモン組成物を含有するマイクロカプセル。
【請求項４】
請求項２に記載の昆虫フェロモン組成物を、害虫の交尾の阻害または攪乱に有効な量、保護すべき環境に用いることを含む害虫の制御方法。
【請求項５】
昆虫交尾攪乱組成物はマイクロカプセルに内包される請求項４に記載の害虫の制御方法。
【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2004525946.tif 000001
［式中、
ＡはＣ２−Ｃ５アルキレン架橋を表し、Ｒは立体選択的に置換された、線状もしくは分枝鎖状の、場合によりアルコール、アミド、エーテル、エステルもしくはスルホネート基よりなる群から選択される少なくとも１個の置換基で置換されていてもよいＣ２−Ｃ２４アルキル、Ｃ３−Ｃ１８シクロアルキル、Ｃ１−Ｃ１８アルコキシもしくはポリエチレンオキシド基；または場合により置換されていてもよいアリール基を表す］
により示される、該Ｃ２−Ｃ５アルキレン架橋において置換された少なくとも１個のキラル中心を有するチオフェン化合物。
【請求項２】
式（Ｉ）：
【化２】
2004525946.tif 000002
［式中、
ＡはＣ２−Ｃ５アルキレン架橋を表し、Ｒは立体選択的に置換された、線状もしくは分枝鎖状の、場合によりアルコール、アミド、エーテル、エステルもしくはスルホネート基よりなる群から選択される少なくとも１個の置換基で置換されていてもよいＣ２−Ｃ２４アルキル、Ｃ３−Ｃ１８シクロアルキル、Ｃ１−Ｃ１８アルコキシもしくはポリエチレンオキシド基；または場合により置換されていてもよいアリール基を表す］
により示される、該Ｃ２−Ｃ５アルキレン架橋において置換された少なくとも１個のキラル中心を有するチオフェン化合物から誘導されるポリ（３，４−アルキレンジオキシ−チオフェン）。
【請求項３】
式（Ｉ）：
【化３】
2004525946.tif 000003
［式中、
ＡはＣ２−Ｃ５アルキレン架橋を表し、Ｒは立体選択的に置換された、線状もしくは分枝鎖状の、場合によりアルコール、アミド、エーテル、エステルもしくはスルホネート基よりなる群から選択される少なくとも１個の置換基で置換されていてもよいＣ２−Ｃ２４アルキル、Ｃ３−Ｃ１８シクロアルキル、Ｃ１−Ｃ１８アルコキシもしくはポリエチレンオキシド基；または場合により置換されていてもよいアリール基を表す］
により示される、該Ｃ２−Ｃ５アルキレン架橋において置換された少なくとも１個のキラル中心を有するチオフェンの重合方法。
【請求項４】
式（Ｉ）：
【化４】
2004525946.tif 000004
［式中、
ＡはＣ２−Ｃ５アルキレン架橋を表し、Ｒは立体選択的に置換された、線状もしくは分枝鎖状の、場合によりアルコール、アミド、エーテル、エステルもしくはスルホネート基よりなる群から選択される少なくとも１個の置換基で置換されていてもよいＣ２−Ｃ２４アルキル、Ｃ３−Ｃ１８シクロアルキル、Ｃ１−Ｃ１８アルコキシもしくはポリエチレンオキシド基；または場合により置換されていてもよいアリール基を表す］
により示される、該Ｃ２−Ｃ５アルキレン架橋において置換された少なくとも１個のキラル中心を有する、チオフェン化合物から誘導されるポリ（３，４−アルキレンジオキシ−チオフェン）を含有する分散液。
【請求項５】
物体をコーティングするための請求項４に記載の分散液の使用。
【請求項６】
式（Ｉ）：
【化５】
2004525946.tif 000005
［式中、
ＡはＣ２−Ｃ５アルキレン架橋を表し、Ｒは立体選択的に置換された、線状もしくは分枝鎖状の、場合によりアルコール、アミド、エーテル、エステルもしくはスルホネート基よりなる群から選択される少なくとも１個の置換基で置換されていてもよいＣ２−Ｃ２４アルキル、Ｃ３−Ｃ１８シクロアルキル、Ｃ１−Ｃ１８アルコキシもしくはポリエチレンオキシド基；または場合により置換されていてもよいアリール基を表す］
により示される、該Ｃ２−Ｃ５アルキレン架橋において置換された少なくとも１個のキラル中心を有する、チオフェン化合物から誘導されるポリ（３，４−アルキレンジオキシ−チオフェン）を含有する印刷可能なペースト。
【請求項７】
式（Ｉ）：
【化６】
2004525946.tif 000006
［式中、
ＡはＣ２−Ｃ５アルキレン架橋を表し、Ｒは立体選択的に置換された、線状もしくは分枝鎖状の、場合によりアルコール、アミド、エーテル、エステルもしくはスルホネート基よりなる群から選択される少なくとも１個の置換基で置換されていてもよいＣ２−Ｃ２４アルキル、Ｃ３−Ｃ１８シクロアルキル、Ｃ１−Ｃ１８アルコキシもしくはポリエチレンオキシド基；または場合により置換されていてもよいアリール基を表す］
により示される、該Ｃ２−Ｃ５アルキレン架橋において置換された少なくとも１個のキラル中心を有する、チオフェン化合物から誘導されるポリ（３，４−アルキレンジオキシ−チオフェン）を含有する電気伝導層。
【請求項８】
式（Ｉ）：
【化７】
2004525946.tif 000007
［式中、
ＡはＣ２−Ｃ５アルキレン架橋を表し、Ｒは立体選択的に置換された、線状もしくは分枝鎖状の、場合によりアルコール、アミド、エーテル、エステルもしくはスルホネート基よりなる群から選択される少なくとも１個の置換基で置換されていてもよいＣ２−Ｃ２４アルキル、Ｃ３−Ｃ１８シクロアルキル、Ｃ１−Ｃ１８アルコキシもしくはポリエチレンオキシド基；または場合により置換されていてもよいアリール基を表す］
により示される、該Ｃ２−Ｃ５アルキレン架橋において置換された少なくとも１個のキラル中心を有する、チオフェン化合物から誘導されるポリ（３，４−アルキレンジオキシ−チオフェン）を含有する帯電防止層。
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
哺乳類における火照りを処置するための医薬の製造のためのデュロキセチンの使用。
【請求項２】
１日あたり３０〜１５０ｍgのデュロキセチンを哺乳類に投与する、請求項１に記載の使用。
【請求項３】
１日あたり４０〜８０ｍgのデュロキセチンを哺乳類に投与する、請求項１に記載の使用。
【請求項４】
デュロキセチンを腸溶カプセルとして投与する、請求項２に記載の使用。
【請求項５】
ラロキシフェン投与を受けている女性のヒトにおける火照りを処置するための医薬の製造のためのデュロキセチンの使用。
【請求項６】
ラロキシフェンがラロキシフェン塩酸塩である、請求項５に記載の使用。
【請求項７】
デュロキセチンとラロキシフェンの投与が並行して行われる請求項５に記載の使用。
【請求項８】
デュロキセチンとラロキシフェンの投与が同時である、請求項５に記載の使用。
【請求項９】
デュロキセチンおよびラロキシフェンを含有する、ヒトにおける火照りを処置するための医薬製剤。
【請求項１０】
エストロゲン置換療法を受けている女性のヒトにおける火照りの処置のための医薬の製造のためのデュロキセチンの使用。
【請求項１１】
デュロキセチンとエストロゲンの投与が並行して行われる請求項１０に記載の使用。
【請求項１２】
デュロキセチンとエストロゲンの投与が同時である、請求項１０に記載の使用。
【請求項１３】
デュロキセチンおよびエストロゲンを含有する、ヒトにおける火照りを処置するための医薬製剤。
【請求項１４】
エストロゲン置換療法が禁忌である女性のヒトにおける火照りを処置するための医薬の製造のためのデュロキセチンの使用。
【手続補正書】
【提出日】平成17年3月24日(2005.3.24)
【手続補正１】
【補正対象書類名】特許請求の範囲
【補正対象項目名】請求項２２
【補正方法】変更
【補正の内容】
【請求項２２】
幹細胞または前駆細胞がCD34陽性細胞である、請求項21記載の方法。
【手続補正書】
【提出日】平成15年12月2日(2003.12.2)
【手続補正１】
【補正対象書類名】特許請求の範囲
【補正対象項目名】全文
【補正方法】変更
【補正の内容】
【特許請求の範囲】
【請求項１】
ルテニウムまたはオスミウムとキレート配位子とを含む複分解触媒の存在下において、第一オレフィン生成物およびエステル官能基化または酸官能基化された第二オレフィン生成物を調製するのに十分なプロセス条件下で不飽和脂肪酸エステルまたは不飽和脂肪酸を低級オレフィンと接触させるステップを含むオレフィンの複分解法。
【請求項２】
前記不飽和脂肪酸が、8個を超え50個未満の炭素原子を含有し、かつ少なくとも1個の炭素−炭素二重結合を含有する、請求項1に記載の方法。
【請求項３】
前記不飽和脂肪酸がオレイン酸である、請求項1または2に記載の方法。
【請求項４】
前記不飽和脂肪酸エステルが、少なくとも1個の炭素−炭素二重結合を有するC8-50不飽和脂肪酸セグメントとC1-20アルコールセグメントとから誘導される、請求項1に記載の方法。
【請求項５】
前記不飽和脂肪酸エステルがオレイン酸メチル又はグリセリドである、請求項1または4に記載の方法。
【請求項６】
前記低級オレフィンがC2-8オレフィンである、請求項1〜5のいずれか一項に記載の方法。
【請求項７】
前記低級オレフィンがエチレンであり、また、エチレンと不飽和脂肪酸エステルまたは不飽和脂肪酸とのモル比が0.8 / 1を超え、20 / 1未満である、請求項1〜6のいずれか一項に記載の方法。
【請求項８】
前記複分解触媒が、式
【化１】
2004525934.tif 000001
によって表され、
上式で、MはRuまたはOsであり、Lはそれぞれ独立にMの結合と電荷の所要量を釣り合わせる組合せで中性および陰イオン配位子から選択され、aは1〜4の整数であり、R′は水素、アルキル、シクロアルキル、アリール、および置換アリール基から選択され、Yは周期表の15または16族中の元素であり、R″はそれぞれ独立にYの原子価を満たすのに十分な水素、アルキル、シクロアルキル、アリール、および置換アリール基から選択され、bは0〜2の整数であり、またZは二座配位子を形成するようにYとカルベン炭素（C）の両方に結合する有機二価基であって、この配位子がM原子と共に原子4〜8個の環を形成する、請求項1〜7のいずれか一項に記載の方法。
【請求項９】
Lがそれぞれ独立に、フッ化物、塩化物、臭化物、ヨウ化物、シアン化物、チオシアン酸塩、式PR3のホスフィン、式NR3のアミン、水および式OR2のエーテル、式SR2のチオエーテル、および式
【化２】
2004525934.tif 000002
を有する配位子からなる群から選択され、
上式のいずれかにおけるRはそれぞれ独立に、水素、C1〜15アルキル、C3〜8シクロアルキル、C6〜15アリール、およびC6〜15置換アリール基からなる群から選択される、請求項8に記載の方法。
【請求項１０】
Zが、式
【化３】
2004525934.tif 000003
で示されるエチレン（IV）、ビニレン（V）、フェニレン（VI）、置換ビニレン（VII）、置換フェニレン（VIII）、ナフチレン（IX）、置換ナフチレン（X）、ピペラジンジイル（XI）、ピペリジイル（XII）からなる群から選択され、
上式でRがそれぞれ独立に水素、C1〜15アルキル、C3〜8シクロアルキル、およびC6〜15アリール基から選択され、nがそれぞれ1〜4の整数である、請求項8に記載の方法。
【請求項１１】
Mがルテニウムであり、また場合により、Lがハロゲン化物およびトリアルキルホスフィンから選択され、Zがフェニレンである、請求項8に記載の方法。
【請求項１２】
前記触媒をシリカ類、アルミナ類、シリカ−アルミナ類、アルミノケイ酸塩類、チタニア類、ジルコニア、酸化マグネシウム、炭素、および架橋網状ポリマー樹脂類からなる群から選択される触媒担体で支持する、請求項1〜11のいずれか一項に記載の方法。
【請求項１３】
前記触媒を、触媒と担体の合計重量に対して触媒金属が0.01重量％を超え、20重量％未満である量で担体上に装填する、請求項12に記載の方法。
【請求項１４】
トリアルキルホスフィン、トリアリールホスフィン、ジアリールアルキルホスフィン、アリールジアルキルホスフィン、エーテル、ピリジン、酸化ホスフィン、ホスフィナイト、ホスホナイト、ホスホルアミダイト、およびそれらの混合物からなる群より選択される安定化配位子をプロセスに加える、請求項1〜13のいずれか一項に記載の方法。
【請求項１５】
安定化配位子／触媒のモル比が0.05 / 1を超え、2.0 / 1未満である、請求項14に記載の方法。
【請求項１６】
前記方法を、0℃を超え150℃未満の温度、かつ5psig（34.5kPa）を超え1,000psig（6,895kPa）未満の合計圧力で行う、請求項1〜15のいずれか一項に記載の方法。
【請求項１７】
前記方法を不飽和脂肪酸エステルまたは不飽和脂肪酸／触媒のモル比が10 : 1を超え、10,000,000 : 1未満のバッチ式反応器中で行うか、あるいは前記方法を不飽和脂肪酸エステルまたは不飽和脂肪酸の重量毎時空間速度が0.04h-1を超え、100 h-1未満の連続または間欠フロー式反応器中で行う、請求項1〜16のいずれか一項に記載の方法。
【請求項１８】
前記脂肪酸エステルがオレイン酸メチルであるか、または前記脂肪酸がオレイン酸であり、その複分解生成物が1-デセンおよびそれぞれ9-デセン酸メチルまたは9-デセン酸である、請求項1〜17のいずれか一項に記載の方法。
【請求項１９】
前記キレート配位子が、カルベン部分および周期表の15または16族元素の第二供与体部分を含有する、請求項1〜18のいずれか一項に記載の方法。
【請求項２０】
前記触媒が、式
【化４】
2004525934.tif 000004
によって表される{ジハロ[2(1-メチルエトキシ-α-O)フェニル]メチレン-α-C](トリシクロヘキシルホスフィン)ルテニウム}であり、
上式でTがそれぞれ独立にClおよびBrから選択され、またPCy3がトリシクロヘキシルホスフィンである、請求項1〜19のいずれか一項に記載の方法。
【請求項２１】
有機金属錯体および触媒担体を含む不均一触媒組成物であって、前記有機金属錯体がルテニウムまたはオスミウム原子とキレート配位子とを含み、前記キレート配位子がカルベン部分と周期表の15族または16族の元素の電子供与体部分とを有し、前記カルベン部分と前記電子供与体部分の両方がルテニウムまたはオスミウム原子と結合しており、さらに、前記触媒担体が架橋ポリスチレン担体である場合には前記有機金属錯体はベンジル結合を介して前記担体と結合している、不均一触媒組成物。
【請求項２２】
式
【化５】
2004525934.tif 000005
を有し、
上式でPCy3がトリシクロヘキシルホスフィンであり、X-PSが架橋ポリスチレン樹脂であり、また場合により、塩化物イオンの一方または両方を臭化物によって置換することができる、請求項21に記載の不均一触媒組成物。
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
NO-依存性微小循環障害又はそのような微小循環障害が包含される疾患状態の治療又は予防のための、フリーラジカルを除去する物質を含む医薬組成物。
【請求項２】
上記物質が、フリーのオキシラジカル及び/又はパーオキシラジカルを除去する、請求項１に記載の医薬組成物。
【請求項３】
上記物質が、細胞膜結合物質として作用する、請求項１に記載の医薬組成物。
【請求項４】
上記物質が、ジピリダモール、モピダモールおよび医薬として許容され得るそれらの塩から選ばれるピリミジノ-ピリミジンである、請求項１に記載の医薬組成物。
【請求項５】
ピリミド-ピリミジンがジピリダモールである、請求項１に記載の医薬組成物。
【請求項６】
上記物質が、NO産生を増加することができる一つ又はそれ以上の薬剤との組み合わせにおいて投与される、請求項１に記載の医薬組成物。
【請求項７】
NO-依存性微小循環障害が、以下のものからなる群より選ばれる、請求項１に記載の医薬組成物；
脈管系の傷害が包含される代謝性疾患により生じる微小循環障害、
例えば、糖尿病性血管障害、具体的には、糖尿病性細小血管病、例えば、糖尿病性壊疽、糖尿病性網膜症、糖尿病性神経障害、
又は例えば、ハイパーホモシスチン尿症、ホモシスチン尿症、肺高血圧症、ムコビシドーシス、神経変性疾患、潰瘍性クルリス、萎縮性胃炎, 潰瘍性大腸炎、胃及び/又は腸の部分的切除、
急性MI又は卒中後のような大動脈の血管再生後の不十分な組織灌流、又は急性再梗塞を予防するための急性抗血小板治療に加え、又は該治療後の末梢動脈疾患における不十分な組織灌流、
血管再生後又は移植者における再灌流傷害により機能障害が生じる状態、
炎症性反応により生じる微小循環障害、
例えば、クローン病、潰瘍性大腸炎又は急性呼吸窮迫症候群 (ARDS)、
自己免疫疾患により生じる微小循環障害、
例えば、自己免疫性慢性活動性肝炎（突発性肝炎）、原発性胆汁性肝硬変、又は（自己免疫関連性）多発性硬化症、
末梢性微小循環障害、
例えば、レイノー病、耳鳴り又は突然の聴力喪失；
増加した細胞分裂に関連する微小循環障害、
例えば、腫瘍性疾患又は血栓性-血小板減少性紫斑病(TTP)；
又は、さらなる適応症として、
腎硬化症、
腎前性高血圧症、
溶血性尿毒症症候群（ＨＵＳ）、
動脈性高血圧、
血管性痴呆症、
アルツハイマー病、
ズデック症、
目の中心静脈血栓症、
虚血性視神経障害、
ホモシスチン誘導脈管障害、
虚血性又は冠血管性心疾患、
心筋梗塞又は再梗塞の予防、
アテローム性硬化症、変形性関節疾患、例えば関節炎の治療又は予防。
【請求項８】
ピリミド-ピリミジン約0.2〜５μmol/Lの血漿レベルを維持する、請求項４に記載の医薬組成物。
【請求項９】
ピリミド-ピリミジンを、経口の遅効性、即効性又は非経口の製剤を使用して投与する、請求項４に記載の医薬組成物。
【請求項１０】
ピリミド-ピリミジンを、経口で1日量25〜450 mg又は非経口で24時間の間に0.5〜 5mg/kg体重で投与する、請求項４に記載の医薬組成物。
【請求項１１】
薬剤が、HMG CoA還元酵素阻害剤である、請求項６に記載の医薬組成物。
【請求項１２】
増加した細胞分裂に関連した微小循環障害の治療のために、ジピリダモール又はモピダモール約0.2〜50μmol/Lの血漿レベルを維持する、請求項７に記載の医薬組成物。
【請求項１３】
NO-依存性微小循環障害又はそのような微小循環障害が包含される疾患状態の治療又は予防のためのヒト又は非ヒト動物の体の治療用医薬組成物を製造するための、フリーラジカル除去物質の使用。
【請求項１４】
上記物質が、ジピリダモール、モピダモール及び医薬として許容され得るそれらの塩から選ばれるピリミド-ピリミジンである、請求項１３に記載の使用。
【請求項１５】
ピリミド-ピリミジンがジピリダモールである、請求項１４に記載の使用。
【請求項１６】
物質が、NO産生を増加することができる一つ又はそれ以上の薬剤との組み合わせにおいて使用される、請求項１３に記載の使用。
【請求項１７】
NO-依存性微小循環障害が、以下のものからなる群より選ばれる、請求項１３に記載の使用；
脈管系の傷害が包含される代謝性疾患により生じる微小循環障害、
例えば、糖尿病性血管障害、具体的には、糖尿病性細小血管病、例えば、糖尿病性壊疽、糖尿病性網膜症、糖尿病性神経障害、
又は例えば、ハイパーホモシスチン尿症、ホモシスチン尿症、肺高血圧症、ムコビシドーシス、神経変性疾患、潰瘍性クルリス、萎縮性胃炎, 潰瘍性大腸炎、胃及び/又は腸の部分的切除、
急性MI又は卒中後のような大動脈の血管再生後の不十分な組織灌流、又は急性再梗塞を予防するための急性抗血小板治療に加え、又は該治療後の末梢動脈疾患における不十分な組織灌流、
血管再生後又は移植者における再灌流傷害により機能障害が生じる状態、
炎症性反応により生じる微小循環障害、
例えば、クローン病、潰瘍性大腸炎又は急性呼吸窮迫症候群 (ARDS)、
自己免疫疾患により生じる微小循環障害、
例えば、自己免疫性慢性活動性肝炎（突発性肝炎）、原発性胆汁性肝硬変、又は（自己免疫関連性）多発性硬化症、
末梢性微小循環障害、
例えば、レイノー病、耳鳴り又は突然の聴力喪失、
増加した細胞分裂に関連する微小循環障害、
例えば、腫瘍性疾患又は血栓性-血小板減少性紫斑病(TTP)；
又は、さらなる適応症として、
腎硬化症、
腎前性高血圧症、
溶血性尿毒症症候群（ＨＵＳ）、
動脈性高血圧、
血管性痴呆症、
アルツハイマー病、
ズデック症、
目の中心静脈血栓症、
虚血性視神経障害、
ホモシスチン誘導脈管障害、
虚血性又は冠血管性心疾患、
心筋梗塞又は再梗塞の予防、
アテローム性硬化症、変形性関節疾患、例えば関節炎の治療又は予防。
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
骨髄細胞（ＢＭＣ）と脱灰骨基質（ＤＢＭ）及び／又は石灰化骨基質（ＭＢＭ）とを含む混合物の、移植されたＢＭＣから生じる造血微小環境を発達させるための移植片としての使用であって、移植片は哺乳動物に移植することが可能である、使用。
【請求項２】
ＢＭＣとＤＢＭ及び／又はＭＢＭとの混合物の、哺乳動物に移植することが可能である移植片としての、前記哺乳動物における造血障害を処置するための使用。
【請求項３】
ＢＭＣが同種であるか、又は前記哺乳動物自身のものである請求項１又は２に記載の使用。
【請求項４】
移植が前記哺乳動物の骨外性部位内である請求項１〜３のいずれか一項に記載の使用。
【請求項５】
骨外性部位が、腎臓被膜、筋肉、肝臓、腹腔壁からなる群から選択される請求項４記載の使用。
【請求項６】
移植が骨髄腔内である請求項１〜３のいずれか一項に記載の使用。
【請求項７】
骨形態形成タンパク質（ＢＭＰ）をさらに含む請求項１〜６のいずれか一項に記載の使用。
【請求項８】
ＤＢＭ及び／又はＭＢＭが脊椎動物起源である請求項１〜７のいずれか一項に記載の使用。
【請求項９】
ＤＢＭ及び／又はＭＢＭがヒト起源である請求項８記載の使用。
【請求項１０】
ＤＢＭ及び／又はＭＢＭが粉末形態である請求項１〜９のいずれか一項に記載の使用。
【請求項１１】
ＤＢＭの粒子サイズが約５０μ〜２５００μ、好ましくは約２５０μ〜５００μである請求項１〜１０のいずれか一項に記載の使用。
【請求項１２】
ＢＭＣとＤＢＭとの比率が０．５部のＤＢＭに対して１０部のＢＭＣ濃縮物（体積／体積）、好ましくは１部のＤＢＭに対して４部のＢＭＣ濃縮物（体積／体積）である請求項１〜１１のいずれか一項に記載の使用。
【請求項１３】
前記哺乳動物がヒトである請求項１〜１２のいずれか一項に記載の使用。
【請求項１４】
前記造血障害が、幹細胞及び／又はその生成物の欠乏症、異常な幹細胞及び／又は生成物をもたらす遺伝的状態、悪性起源又は非悪性起源の造血障害、先天性又は遺伝性の骨障害、骨感染症、骨形成不全症、ムコ多糖症、ムコリピドーシス、並びに骨の非新生物性障害から選択される請求項２〜１３のいずれか一項に記載の使用。
【請求項１５】
ＢＭＣとＤＢＭ及び／又はＭＢＭとの混合物の、造血障害を処置するための組成物の製造における使用であって、前記組成物が薬学的に許容されるキャリア及び／又は希釈剤をさらに含む、使用。
【請求項１６】
前記混合物がＢＭＰをさらに含んでいてもよい請求項１５記載の使用。
【請求項１７】
前記造血障害が、幹細胞及び／又はその生成物の欠乏症、異常な幹細胞及び／又は生成物をもたらす遺伝的状態、並びに悪性起源の造血障害から選択される請求項１６記載の使用。
【請求項１８】
ＤＢＭ及び／又はＭＢＭのＢＭＣとの混合で哺乳動物に移植するためのキットであって、
ａ．圧縮された形態にあるＤＢＭ及び／又はＭＢＭであって、
（ｉ）前記ＤＢＭ及び／又はＭＢＭは、ＢＭＣと混合したとき、移植されたＢＭＣから生じる造血微小環境を発達させるための移植片として使用され、
（ｉｉ）前記ＢＭＣは同種であるか、又は前記哺乳動物自身のものであり、
（ｉｉｉ）前記ＤＢＭ及び／又はＭＢＭは脊椎動物起源であり、
（ｉｖ）前記ＤＢＭ及び／又はＭＢＭは粉末形態であり、かつＤＢＭの粒子サイズが約５０μ〜２５００μであり、及び
（ｖ）ＢＭＣとＤＢＭとの比率が０．５部のＤＢＭに対して１０部のＢＭＣ濃縮物（体積／体積）、好ましくは１部のＤＢＭに対して４部のＢＭＣ濃縮物（体積／体積）である；
ｂ．ＢＭ吸引ニードル；
ｃ．骨内骨穿孔用バー；
ｄ．粘性混合物を注入するための肉厚内腔ニードル；
ｅ．混合物を希釈剤と同時に混合するための二方内腔コネクター；並びに
ｆ．ＢＭＣを維持するための培地、
を含む、キット。
【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
以下の式(1)に従うステロール誘導体：
陽イオン−スペーサー２−Ｙ−スペーサー１−Ｘ−ステロール      (1)
（式中、
・前記陽イオンが、ピペラジン、イミダゾール、モルホリン、プリン、ピリミジン及び／又はピリジンから成る群から選択される窒素塩基であり、
・スペーサー１及び２が、８個までのＣ原子を有し、直鎖、分枝鎖又は環状構造で、０、１又は２つのエチレン不飽和結合を有する低級アルキル残基からなる群より選択され、
・前記連結基Ｘ及び／又はＹが、-(C=O)-O-、-(C=O)-NH-、-(C=O)-S-、-O-、-NH-、-S-、-CH=N-、-O-(O=C)-、-S-(O=C)-、-NH-(O=C)-及び/又は-N=CH-から成る群から選択され、
・前記ステロールが、コレステロール、シトステロール、キャンペステロール、デスモステロール、フコステロール、22-ケトステロール、20-ヒドロキシステロール、スチグマステロール、22-ヒドロキシコレステロール、25-ヒドロキシコレステロール、ラノステロール、7-デヒドロコレステロール、ジヒドロコレステロール、19-ヒドロキシコレステロール、5α-コレスト-7-エン-3β-オール、7-ヒドロキシコレステロール、エピコレステロール、エルゴステロール及び/又はデヒドロエルゴステロールから成る群から選択され、
・全体の分子が、pKa値３．５〜８を有する）。
【請求項２】
前記ステロール誘導体が、pKa値４〜６．５を有する、請求項１記載のステロール誘導体。
【請求項３】
請求項１又は２に記載のステロール誘導体を含むリポソーム。
【請求項４】
前記リポソームが、５〜５０モル％のステロール誘導体を含む、請求項３記載のリポソーム。
【請求項５】
前記リポソームが、ホスファチジルコリン、ホスファチジルエタノールアミン及び/又はジアシルグリセロールを含む、請求項３又は４記載のリポソーム。
【請求項６】
前記リポソームが、中性又は負に荷電している、請求項５記載のリポソーム。
【請求項７】
前記リポソームが、平均粒径５０〜１０００ｎｍである、請求項３〜６のいずれか１項記載のリポソーム。
【請求項８】
前記リポソームが活性物質を含む、請求項３〜７のいずれか１項記載のリポソーム。
【請求項９】
前記活性物質が、タンパク質、ペプチド、ＤＮＡ、ＲＮＡ、アンチセンスヌクレオチド及び/又はデコイヌクレオチドである、請求項８記載のリポソーム。
【請求項１０】
前記活性物質の少なくとも８０％が、リポソーム内にある、請求項８又は９記載のリポソーム。
【請求項１１】
請求項３〜１０のいずれか１項記載のリポソームに活性物質を装填する方法であって、１つの規定されたpH値が、カプセル化に使用され、第二のpH値が、結合していない活性物質の除去に調節される、方法。
【請求項１２】
請求項３〜１０のいずれか１項記載のリポソームに活性物質を装填する方法であって、前記リポソームが、規定されたpH値で透過性になり、続いて封鎖される、方法。
【請求項１３】
ナノカプセルの製造における、請求項３〜１０のいずれか１項記載のリポソームの使用。
【請求項１４】
診断法での放出システムの製造における、請求項３〜１０のいずれか１項記載のリポソームの使用。
【請求項１５】
活性物質の輸送及び/又は放出のための、請求項３〜１０のいずれか１項記載のリポソームの使用。
【請求項１６】
デポー製剤及び/又は循環的なデポーとしての、請求項３〜１０のいずれか１項記載のリポソームの使用。
【請求項１７】
細胞をトランスフェクションするベクターとしての、請求項３〜１０のいずれか１項記載のリポソームの使用。
【請求項１８】
前記リポソームが、５〜４０モル％のステロール誘導体を含む、請求項３記載のリポソーム。
【請求項１９】
前記リポソームが、平均粒径５０〜３００ｎｍである、請求項３〜６のいずれか１項記載のリポソーム。
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
副鼻腔を清浄化するための組成物であって、担体手段、防腐／抗真菌手段及び副鼻腔から発する臭気を隠蔽または除去するためのマスキング剤を含む組成物。
【請求項２】
保存剤、反対刺激剤、溶解度賦活剤、抗感染手段及び治療薬の少なくとも１つをさらに含む請求項１に定義される組成物。
【請求項３】
防腐／抗真菌手段が塩化セチルピリジニウム（ＣＰＣ）、クロルヘキシジン  ジグルコネート、ヘキセチジン、サンギナニン、トリクロサン、及び塩化ベンザルコニウムの少なくとも１つから選択される、請求項１の組成物。
【請求項４】
治療薬が酢酸亜鉛及び塩化亜鉛からなる群より選択される、請求項２に定義される組成物。
【請求項５】
治療薬が亜鉛イオン利用可能性１００を有する、請求項２に定義される組成物。
【請求項６】
組成物が、スプレーボトル、ドロッパー、ポンプボトル、及び噴霧器型ボトルからなる群より選択される送達手段によって投与される、請求項１に定義される組成物。
【請求項７】
請求項１１の組成物の使用であって、前記組成物を鼻の通路又は副鼻腔に投与することによる前記組成物の使用が、少なくとも以下の１つを遂行する使用：
喫煙者の息を除去する、
薬用鼻の組成物のプラセボとして作用する、
苛酷な環境に生活する人々の鼻及び副鼻腔通路を鎮静化する、
高い花粉カウントを伴う地域に生活する人々の鼻及び副鼻腔通路を清透化する、
汚染された地域に生活する人々の鼻及び副鼻腔通路を清透化する、
いびきをかく人々の鼻及び副鼻腔通路を清透化する、
睡眠時無呼吸を患う人々の鼻及び副鼻腔通路を清透化する、
近年鼻または副鼻腔手術を受けている人々の鼻及び副鼻腔通路を清透化する、及び、
広く口頭で意志疎通を図る人々の鼻及び副鼻腔通路を加湿する。
【請求項８】
鼻腔及び副鼻腔を清浄化するための組成物であって、加湿基剤成分としての食塩液、副鼻腔または鼻腔からの臭気を遮蔽または除去するための香味料、組成物の保存期間を強化するための保存手段、鼻腔及び副鼻腔による組成物の受容を促進するための反対刺激剤、感染防止剤及び成分の可溶性を促進するためのアルコールを含む組成物。
【請求項９】
酢酸亜鉛または塩化亜鉛の治療手段をさらに含む請求項８に定義される組成物。
【請求項１０】
組成物の約０．１から約２重量パーセントの浸透圧剤；
組成物の約０．１から約５重量パーセントの緩衝剤；
組成物の約０．１から約１２重量パーセントの可溶化剤；
組成物の約０．００１から約５重量パーセントの界面活性剤；
組成物の約０．００１から約１０重量パーセントの防腐剤；
組成物の約０．００１から約５重量パーセントの抗感染剤／抗真菌剤；
組成物の約０．１から約４重量パーセントの甘味料；
組成物の約０．１から約５重量％の芳香性成分；
組成物の約０．００１から約５重量パーセントの治療薬；
組成物の約１００重量パーセント未満の溶媒、
を含む組成物。
【請求項１１】
担体手段、防腐／抗真菌剤、及び副鼻腔から発する臭気を隠蔽または除去するためのマスキング剤を含む組成物を提供すること、及び、
鼻通路及び副鼻腔において前記組成物を投与することにより前記組成物を使用すること
の工程を含む方法。
【請求項１２】
防腐／抗真菌剤を含む組成物を提供する前記工程が、
細菌、真菌及び病原菌を除去し、それによって臭い息の制御及びアレルギー関連又は副鼻腔炎の状態の抑制において補助する防腐／抗真菌剤を含む組成物を提供する前記工程を含んでなる請求項１１の方法。
【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
放射線防護用α，β不飽和アリールスルホン化合物の、電離放射線への曝露を受けた又は受ける危険にある患者の正常細胞に対する電離放射線の効果を低減し又は除去するための医薬の製造のための利用。
【請求項２】
請求項１に記載の放射線防護用化合物又は製薬上許容しうるその塩の利用であって、該化合物が、下記の式Ｉを有する、当該利用：
【化１】
2004525908.tif 000001
(式中：
ｎは、１又は０であり；
Ｑ1及びＱ2は、同じか又は異なって、置換された若しくはされてないアリール、又は置換された若しくはされてないヘテロアリールである)。
【請求項３】
放射線防護用化合物が、下記式ＩＩを有する、請求項２に記載の放射線防護用化合物の利用：
【化２】
2004525908.tif 000002
[式中：
Ｑ1a及びＱ2aは、フェニル及びモノ、ジ、トリ、テトラ及びペンタ置換されたフェニル{置換基は、同じであっても異なってもよいが、水素、ハロゲン、Ｃ１−Ｃ８アルキル、Ｃ１−Ｃ８アルコキシ、ニトロ、シアノ、カルボキシ、ヒドロキシ、ホスホネート、アミノ、スルファミル、アセトキシ、ジメチルアミノ(Ｃ２−Ｃ６アルコキシ)、Ｃ１−Ｃ６トリフルオロアルコキシ及びトリフルオロメチルよりなる群から独立に選択する}よりなる群から独立に選択する]。
【請求項４】
請求項１に記載の放射線防護用化合物又は製薬上許容しうるその塩の利用であって、該化合物が、下記式ＩＶに従う、当該利用：
【化３】
2004525908.tif 000003
(式中
Ｒ1、Ｒ2、Ｒ3及びＲ4は、水素、ハロゲン、Ｃ１−Ｃ８アルキル、Ｃ１−Ｃ８アルコキシ、ニトロ、シアノ、カルボキシ、ヒドロキシ及びトリフルオロメチルよりなる群から独立に選択される)。
【請求項５】
請求項１に記載の放射線防護用化合物又は製薬上許容しうるその塩の利用であって、該化合物が、下記式Ｖに従う、当該利用：
【化４】
2004525908.tif 000004
[式中、
Ｑ3、Ｑ4及びＱ5は、独立に、フェニル及びモノ、ジ、トリ、テトラ及びペンタ置換されたフェニル{これらの置換基は、同一でも異なってもよく、独立に、ハロゲン、Ｃ１−Ｃ８アルキル、Ｃ１−Ｃ８アルコキシ、ニトロ、シアノ、カルボキシ、ヒドロキシ、ホスホネート、アミノ、スルファミル、アセトキシ、ジメチルアミノ(Ｃ２−Ｃ６アルコキシ)、Ｃ１−Ｃ６トリフルオロアルコキシ及びトリフルオロメチルよりなる群から選択される}よりなる群から選択される]。
【請求項６】
放射線防護用化合物を、(Ｅ)−３−フランエテニル−２，４−ジクロロベンジルスルホン、(Ｅ)−２，４，６−トリメトキシスチリル−４−メトキシベンジルスルホン、(Ｅ)−４−フルオロスチリル−４−クロロベンジルスルホン、(Ｅ)−４−フルオロスチリル−４−トリフルオロメチルベンジルスルホン、(Ｅ)−４−フルオロスチリル−４−シアノベンジルスルホン、(Ｚ)−４−フルオロスチリル−４−クロロベンジルスルホン、(Ｅ)−４−フルオロスチリル−４−クロロフェニルスルホン、(Ｅ)−４−カルボキシスチリル−４−クロロベンジルスルホン、及び(Ｚ)−スチリル−(Ｅ)−２−メトキシ−４−エトキシスチリルスルホンよりなる群から選択する、請求項１に記載の放射線防護用化合物の利用。
【請求項７】
電離放射線照射が、増殖性疾患を治療するための治療用電離放射線照射である、請求項１〜６の何れかに記載の放射線防護用化合物の利用。
【請求項８】
増殖性疾患が、癌である、請求項７に記載の放射線防護用化合物の利用。
【手続補正２】
【補正対象書類名】明細書
【補正対象項目名】００４４
【補正方法】変更
【補正の内容】
【００４４】
「α，β不飽和アリールスルホン化合物」は、ここで用いる場合、少なくとも１つのα，β不飽和アリールスルホン基を含む化学化合物を意味する：
【化５】
2004525908.tif 000005
(式中、Ｑ2は、置換された若しくはされてないアリール又は置換された若しくはされてないヘテロアリールであり、α及びβ炭素に結合している水素原子は、適宜、他の化学基によって置換される)。
【手続補正３】
【補正対象書類名】図面
【補正対象項目名】図６
【補正方法】変更
【補正の内容】
【図６】
2004525908.tif 000006